(57)【要約】【課題】複数のセルの間における上りリンク信号の干渉を有効に抑制し得る適切な目標ＳＩＲを利用した送信電力制御を実現する。【解決手段】上りリンク通信の周波数帯域が共通する複数のセルを有する無線通信システムの無線基地局は、当該無線基地局の１つのセル内に位置する複数のユーザ装置から互いに直交する周波数で送信される上りリンク信号を無線で受信する。目標ＳＩＲ決定部は、少なくとも１つのユーザ装置について、パスロスが大きいほど上りリンク信号の目標ＳＩＲが低くなるように、上りリンク信号の目標ＳＩＲを決定する一方、１つのセル内に位置する少なくとも１つのユーザ装置からの上りリンク信号への干渉、または、１つのセルに隣接する他のセル内に位置する少なくとも１つのユーザ装置からの上りリンク信号への干渉に応じた評価指標に基づいて、目標ＳＩＲを決定する。【選択図】図２
2016144058.tif 000002
【特許請求の範囲】
【請求項１】
上りリンク通信の周波数帯域が共通する複数のセルを有する無線通信システムの無線基地局であって、
当該無線基地局の１つのセル内に位置する複数のユーザ装置から互いに直交する周波数で送信される上りリンク信号を無線で受信する無線受信部と、
前記１つのセル内に位置する少なくとも１つのユーザ装置について、上りリンク信号の受信ＳＩＲを計算する受信ＳＩＲ計算部と、
前記少なくとも１つのユーザ装置について、上りリンク信号のパスロスを計算するパスロス計算部と、
前記少なくとも１つのユーザ装置について、前記パスロスが大きいほど上りリンク信号の目標ＳＩＲが低くなるように、上りリンク信号の目標ＳＩＲを決定する目標ＳＩＲ決定部と、
前記少なくとも１つのユーザ装置に、前記目標ＳＩＲと前記受信ＳＩＲの比較に応じた、当該ユーザ装置での上りリンク信号の送信電力を制御するための送信電力指令を送信する電力指令送信部とを備え、
前記目標ＳＩＲ決定部は、前記１つのセル内に位置する少なくとも１つのユーザ装置からの上りリンク信号への干渉、または、前記１つのセルに隣接する他のセル内に位置する少なくとも１つのユーザ装置からの上りリンク信号への干渉に応じた評価指標に基づいて、前記目標ＳＩＲを決定する
無線基地局。
【請求項２】
前記目標ＳＩＲ決定部は、前記１つのセル内に位置する少なくとも１つのユーザ装置からの上りリンク信号への干渉量、または、前記１つのセルに隣接する他のセル内に位置する少なくとも１つのユーザ装置からの上りリンク信号への干渉量に応じた前記評価指標に基づいて、当該干渉量が大きいほど前記目標ＳＩＲが低くなるように、前記目標ＳＩＲを決定する
請求項１の無線基地局。
【請求項３】
前記目標ＳＩＲ決定部は、前記１つのセル内に位置する通信中のユーザ装置の総数、または、前記１つのセルに隣接する他のセル内に位置する通信中のユーザ装置の総数に応じた前記評価指標に基づいて、当該総数が多いほど前記目標ＳＩＲが低くなるように、前記目標ＳＩＲを決定する
請求項１の無線基地局。
【請求項４】
前記目標ＳＩＲ決定部は、前記１つのセル内に位置するとともに受信品質測定報告を送信したユーザ装置の総数、または、前記１つのセルに隣接する他のセル内に位置するとともに受信品質測定報告を送信したユーザ装置の総数に応じた前記評価指標に基づいて、当該総数が多いほど前記目標ＳＩＲが低くなるように、前記目標ＳＩＲを決定する
請求項１の無線基地局。
【請求項５】
前記目標ＳＩＲ決定部は、前記１つのセル内に位置する複数のユーザ装置からの上りリンク信号のパスロス、または、前記１つのセルに隣接する他のセル内に位置する複数のユーザ装置からの上りリンク信号のパスロスの度数分布に応じた前記評価指標に基づいて、当該度数分布が高値側に偏るほど前記目標ＳＩＲが低くなるように、前記目標ＳＩＲを決定する
請求項１の無線基地局。
【請求項６】
前記目標ＳＩＲ決定部は、前記１つのセル内に関する一定期間内のハンドオーバの回数に応じた前記評価指標に基づいて、当該回数が多いほど前記目標ＳＩＲが低くなるように、前記目標ＳＩＲを決定する
請求項１の無線基地局。
【請求項７】
前記目標ＳＩＲ決定部は、前記１つのセルに隣接する他のセルのうち、一定期間内のハンドオーバの回数が閾値を超えたセルの総数に応じた前記評価指標に基づいて、当該総数が多いほど前記目標ＳＩＲが低くなるように、前記目標ＳＩＲを決定する
請求項１の無線基地局。
【請求項８】
前記目標ＳＩＲ決定部は、前記パスロスと前記目標ＳＩＲとの関係をそれぞれ記述した複数の相関パターンから１つの相関パターンを選択し、前記選択された相関パターンに準拠して前記パスロスに応じた前記目標ＳＩＲを決定する
請求項１から請求項７の何れかの無線基地局。
【請求項９】
前記目標ＳＩＲ決定部は、過去の前記目標ＳＩＲの変更の前後での通信状況の変化度に応じて前記目標ＳＩＲを決定する
請求項１から請求項８の何れかの無線基地局。
【発明の詳細な説明】
【技術分野】
【０００１】
本発明は、無線基地局に関する。
【背景技術】
【０００２】
３ＧＰＰ（Third Generation Partnership Project）が規定するＬＴＥ（Long Term Evolution）では、上りリンク信号のパスロスに応じたユーザ装置の送信電力制御（Fractional TPC（Transmission Power Control））が実行される。Fractional TPCでは、ユーザ装置が送信する上りリンク信号のパスロスが大きいほど目標ＳＩＲ（信号対干渉比）が低い数値となるように無線基地局で目標ＳＩＲが決定され、上りリンク信号の受信ＳＩＲと目標ＳＩＲとの高低に応じて送信電力の増加または減少を指示する送信電力指令を無線基地局からユーザ装置に送信する（例えば特許文献１）。
【先行技術文献】
【特許文献】
【０００３】
【特許文献１】特開２０１２−８５０５８号公報
【発明の概要】
【発明が解決しようとする課題】
【０００４】
ＬＴＥでは、１個のセル内の複数のユーザ装置が送信する上りリンク信号は互いに直交する一方、上りリンク通信に利用される周波数帯域は複数のセルの間で互いに共通する。したがって、相異なるセルに属する複数のユーザ装置からの上りリンク信号は互いに干渉し得る。上りリンク信号に発生する干渉の度合は、無線基地局が設置される密度等の様々な条件に依存するから、前述のように１個のユーザ装置からの上りリンク信号のパスロスのみに応じて目標ＳＩＲを決定すると、当該ユーザ装置が属するセルに隣接するセル内のユーザ装置からの上りリンク信号に予期しない大きな干渉が発生する可能性がある。以上の事情を考慮して、本発明は、上りリンク通信の周波数帯域が複数のセルの間で互いに共通するとともに１個のセル内では複数のユーザ装置からの上りリンク信号の周波数が互いに直交する構成のもとで、複数のセルの間における上りリンク信号の干渉を有効に抑制し得る適切な目標ＳＩＲを利用した送信電力制御の実現を目的とする。
【課題を解決するための手段】
【０００５】
本発明の第１態様に係る無線基地局は、上りリンク通信の周波数帯域が共通する複数のセルを有する無線通信システムの無線基地局であって、当該無線基地局の１つのセル内に位置する複数のユーザ装置から互いに直交する周波数で送信される上りリンク信号を無線で受信する無線受信部と、前記１つのセル内に位置する少なくとも１つのユーザ装置について、上りリンク信号の受信ＳＩＲ（信号対干渉比）を計算する受信ＳＩＲ計算部と、前記少なくとも１つのユーザ装置について、上りリンク信号のパスロスを計算するパスロス計算部と、前記少なくとも１つのユーザ装置について、前記パスロスが大きいほど上りリンク信号の目標ＳＩＲが低くなるように、上りリンク信号の目標ＳＩＲを決定する目標ＳＩＲ決定部と、前記少なくとも１つのユーザ装置に、前記目標ＳＩＲと前記受信ＳＩＲの比較に応じた、当該ユーザ装置での上りリンク信号の送信電力を制御するための送信電力指令を送信する電力指令送信部とを備え、前記目標ＳＩＲ決定部は、前記１つのセル内に位置する少なくとも１つのユーザ装置からの上りリンク信号への干渉、または、前記１つのセルに隣接する他のセル内に位置する少なくとも１つのユーザ装置からの上りリンク信号への干渉に応じた評価指標に基づいて、前記目標ＳＩＲを決定する。
【発明の効果】
【０００６】
本発明によれば、上りリンク通信の周波数帯域が複数のセルの間で互いに共通するとともに１個のセル内では複数のユーザ装置からの上りリンク信号の周波数が互いに直交する構成のもとで、複数のセルの間における上りリンク信号の干渉を有効に抑制し得る適切な目標ＳＩＲを利用した送信電力制御を実現することが可能である。
【図面の簡単な説明】
【０００７】
【図１】本発明の第１実施形態に係る無線通信システムの構成図である。
【図２】無線基地局の機能的な構成図である。
【図３】第１実施形態の動作の説明図である。
【図４】目標ＳＩＲ決定部の動作のフローチャートである。
【図５】パスロスと目標ＳＩＲとの関係の説明図である。
【図６】第２実施形態の動作の説明図である。
【図７】第３実施形態における目標ＳＩＲ決定部の動作のフローチャートである。
【図８】第５実施形態におけるパスロスの度数分布の説明図である。
【図９】第５実施形態における目標ＳＩＲ決定部の動作のフローチャートである。
【図１０】第６実施形態における目標ＳＩＲ決定部の動作のフローチャートである。
【図１１】第８実施形態における無線基地局の機能的な構成図である。
【図１２】第８実施形態における通信状況の変化の説明図である。
【図１３】第８実施形態における目標ＳＩＲ決定部の動作のフローチャートである。
【図１４】第９実施形態における動作の説明図である。
【発明を実施するための形態】
【０００８】
＜第１実施形態＞
図１は、本発明の第１実施形態に係る無線通信システム１０の構成図である。第１実施形態の無線通信システム１０は、３ＧＰＰにおけるＬＴＥに準拠した移動通信ネットワークであり、図１に例示されるように複数の無線基地局１２を具備する。複数の無線基地局１２の各々は、例えばＬＴＥのｅＮＢ（evolved Node B）であり、当該無線基地局１２が形成するセルＣ内に位置する複数のユーザ装置１４と無線で通信する。図１から理解される通り、複数のセルＣは、各々の周縁の近傍が部分的に重複する。
【０００９】
ユーザ装置（ＵＥ: User Equipment）１４は、例えば携帯電話機等の可搬型の通信端末である。無線基地局１２とユーザ装置１４との間では、下りリンク通信にＯＦＤＭＡ（Orthogonal Frequency Division Multiple Access）が採用され、上りリンク通信にＳＣ−ＦＤＭＡ（Single-Carrier Frequency Division Multiple Access）が採用される。すなわち、無線基地局１２が形成する１個のセルＣ内の複数のユーザ装置１４がその無線基地局１２に対して送信する上りリンク信号ＳUの周波数は互いに直交する。したがって、１個のセルＣ内の複数のユーザ装置１４が送信する上りリンク信号ＳUの間での干渉は論理的には発生しない。他方、上りリンク通信に利用される周波数帯域は複数のセルＣの間で互いに共通する。したがって、例えば１個のセルＣの周縁の近傍に位置するユーザ装置１４からの上りリンク信号ＳUには、そのセルＣに隣接する他のセル（以下「隣接セル」という）Ｃ内のユーザ装置１４からの上りリンク信号ＳUが干渉し得る。
【００１０】
図１に例示される通り、無線基地局１２が形成するセルＣ内の複数のユーザ装置１４には、上りリンク信号ＳUの送信電力制御（Fractional TPC）に適用される送信電力指令Ｔが当該無線基地局１２から送信される。送信電力指令Ｔは、ユーザ装置１４からの上りリンク信号ＳUの送信電力の増加または減少を指示する制御信号である。ユーザ装置１４は、無線基地局１２から受信した送信電力指令Ｔに応じて上りリンク信号ＳUの送信電力を制御（増加または減少）する。
【００１１】
図２は、無線通信システム１０の任意の１個の無線基地局１２のうちユーザ装置１４の送信電力制御に関連する要素の構成図である。図２に例示される通り、第１実施形態の無線基地局１２は、基地局間通信部２０と無線受信部２２と受信ＳＩＲ（Signal to Interference Ratio（信号対干渉比））計算部２４とパスロス計算部２６と目標ＳＩＲ決定部２８と電力指令送信部３０とを具備する。例えば、無線受信部２２および電力指令送信部３０は、無線でユーザ装置１４と通信するためのアンテナおよび電子回路を含む通信装置（図示略）で実現され、受信ＳＩＲ計算部２４とパスロス計算部２６と目標ＳＩＲ決定部２８とは、記憶装置（図示略）に記憶されたプログラムをＣＰＵ（図示略）が実行することで実現される機能ブロックである。
【００１２】
基地局間通信部２０は、他の無線基地局１２と通信するための通信インターフェイス（例えばＸ2インターフェイス）である。なお、基地局間通信部２０による他の無線基地局１２との通信は有線通信でも無線通信でもよい。
【００１３】
無線受信部２２は、当該無線基地局１２が形成する１個のセルＣ内の複数のユーザ装置１４から送信される上りリンク信号ＳUを無線で受信する。前述の通り、１個のセルＣ内の複数のユーザ装置１４から送信される上りリンク信号ＳUの相互間で干渉は発生しない。しかし、１個のセルＣ内のユーザ装置１４（特にセルＣの周縁の近傍に位置するユーザ装置１４）から無線基地局１２に送信される上りリンク信号ＳUには、隣接セルＣ内のユーザ装置１４から送信される上りリンク信号ＳUが干渉し得る。
【００１４】
受信ＳＩＲ計算部２４は、当該無線基地局１２が形成するセルＣ内のユーザ装置１４から無線受信部２２が受信する上りリンク信号ＳUのＳＩＲ（以下「受信ＳＩＲ」という）をユーザ装置１４毎に計算する。具体的には、受信ＳＩＲ計算部２４は、信号電力測定部２４２と干渉電力測定部２４４と演算処理部２４６とを包含する。信号電力測定部２４２は、当該無線基地局１２のセルＣ内のユーザ装置１４が送信した上りリンク信号ＳUの信号電力を測定し、干渉電力測定部２４４は、当該上りリンク信号ＳUに対する隣接セルＣからの干渉電力（干渉量）を測定する。演算処理部２４６は、信号電力測定部２４２が測定した信号電力と干渉電力測定部２４４が測定した干渉電力との比を受信ＳＩＲとして計算する。信号電力および干渉電力の特定には公知の技術が任意に採用され得るが、例えばＰＵＳＣＨ（Physical Uplink Shared Channel）に多重されたＤＭＲＳ（DeModulation Reference Signal）や品質測定用のＳＲＳ（Sounding Reference Signal）を利用した方法が好適である。
【００１５】
図２のパスロス計算部２６は、当該無線基地局１２が形成するセルＣ内のユーザ装置１４から無線受信部２２が受信する上りリンク信号ＳUのパスロス（伝搬損失）をユーザ装置１４毎に計算する。上りリンク信号ＳUのパスロスの計算には公知の技術が任意に採用され得る。
【００１６】
目標ＳＩＲ決定部２８は、当該無線基地局１２が形成するセルＣ内のユーザ装置１４毎に上りリンク信号ＳUの目標ＳＩＲを決定する。第１実施形態の目標ＳＩＲ決定部２８は、パスロス計算部２６が各ユーザ装置１４について計算した上りリンク信号ＳUのパスロスに応じて当該ユーザ装置１４の目標ＳＩＲを決定する。具体的には、目標ＳＩＲ決定部２８は、パスロスが大きいほど目標ＳＩＲが低くなるように目標ＳＩＲを決定する（図５参照）。１個のセルＣの周縁にユーザ装置１４が近付くほどパスロスが増加するという傾向を考慮すると、１個のセルＣの周縁にユーザ装置１４が近付くほど当該目標ＳＩＲが低い数値に設定されるとも換言され得る。
【００１７】
図２の電力指令送信部３０は、目標ＳＩＲ決定部２８が決定した目標ＳＩＲと受信ＳＩＲ計算部２４が計算した受信ＳＩＲとに応じた送信電力指令Ｔを当該無線基地局１２のセルＣ内の各ユーザ装置１４に送信する。具体的には、電力指令送信部３０は、任意の１個のユーザ装置１４からの上りリンク信号ＳUの受信ＳＩＲが当該ユーザ装置１４の目標ＳＩＲを上回る場合には送信電力の減少を指示する送信電力指令Ｔをユーザ装置１４に送信し、受信ＳＩＲが目標ＳＩＲを下回る場合には送信電力の増加を指示する送信電力指令Ｔをユーザ装置１４に送信する。すなわち、上りリンク信号ＳUの受信ＳＩＲが目標ＳＩＲに近付くようにユーザ装置１４からの送信電力が制御される。
【００１８】
受信ＳＩＲ計算部２４による受信ＳＩＲの計算と、パスロス計算部２６によるパスロスの計算と、目標ＳＩＲ決定部２８による目標ＳＩＲの決定と、電力指令送信部３０による送信電力指令Ｔの送信とは、例えば所定の周期で反復的に実行される。
【００１９】
第１実施形態の目標ＳＩＲ決定部２８による目標ＳＩＲの決定について以下に詳述する。以下の説明では、図３に例示される通り、無線通信システム１０のうち任意の１個の無線基地局１２を「無線基地局１２A」と表記し、無線基地局１２Aが形成する１個のセルＣAと当該セルＣAに隣接する１個の隣接セルＣBとに便宜的に着目する。無線基地局１２Aの目標ＳＩＲ決定部２８は、当該無線基地局１２AのセルＣA内のユーザ装置１４の上りリンク信号ＳUが隣接セルＣB内のユーザ装置１４の上りリンク信号ＳUに干渉する度合（すなわち、セルＣA内の上りリンク信号ＳUが隣接セルＣB内の上りリンク信号ＳUに与える影響）に応じてセルＣA内のユーザ装置１４の目標ＳＩＲを決定する。
【００２０】
無線基地局１２AのセルＣA内のユーザ装置１４の上りリンク信号ＳUに対する隣接セルＣBからの干渉量が大きい場合には、隣接セルＣB内のユーザ装置１４の上りリンク信号ＳUに対するセルＣAからの干渉量も大きいと推定される。以上の傾向を考慮して、第１実施形態の目標ＳＩＲ決定部２８は、無線基地局１２AのセルＣA内の１個以上のユーザ装置１４が送信する上りリンク信号ＳUに対する干渉量に応じてセルＣA内の各ユーザ装置１４の目標ＳＩＲを決定する。具体的には、セルＣA内のユーザ装置１４の上りリンク信号ＳUに対する干渉量が大きいほど目標ＳＩＲが低くなる（すなわちセルＣA内のユーザ装置１４からの送信電力が低下する）ように目標ＳＩＲを決定することで、隣接セルＣB内の上りリンク信号ＳUに対するセルＣAからの干渉を抑制する。
【００２１】
図４は、無線基地局１２Aの目標ＳＩＲ決定部２８がセルＣA内の各ユーザ装置１４について目標ＳＩＲを決定する動作のフローチャートである。例えば所定の周期で発生する割込を契機として図４の処理が開始される。なお、以下の説明では便宜的に１個の無線基地局１２Aに着目するが、無線通信システム１０を構成する他の無線基地局１２でも同様の処理が実行される。
【００２２】
目標ＳＩＲ決定部２８は、無線基地局１２AのセルＣA内に位置する少なくとも１個のユーザ装置１４の上りリンク信号ＳUに対する干渉量ＩAを計算する（ＳA1）。第１実施形態の目標ＳＩＲ決定部２８は、無線基地局１２AのセルＣA内に位置する複数のユーザ装置１４の上りリンク信号ＳUについて干渉電力測定部２４４が測定した干渉電力の代表値を干渉量ＩAとして計算する。例えば、複数の上りリンク信号ＳUに対する干渉電力の平均値または最大値が干渉量ＩAとして例示される。なお、セルＣA内に位置する任意の１個のユーザ装置１４からの上りリンク信号ＳUの干渉電力を干渉量ＩAとして利用することも可能である。
【００２３】
目標ＳＩＲ決定部２８は、パスロスと目標ＳＩＲとの関係を記述した複数の相関パターンＲのうち１個の相関パターンＲを干渉量ＩAに応じて選択する（ＳA2）。図５は、目標ＳＩＲ決定部２８による選択の候補となる複数の相関パターンＲの説明図である。なお、以下の例示では３種類の相関パターンＲ（ＲH，ＲM，ＲL）を例示するが、相関パターンＲの種類数は任意である。
【００２４】
図５に例示される通り、パスロスと目標ＳＩＲとの相異なる関係を記述した複数の相関パターンＲが例えばデータテーブルの形態で各無線基地局１２の記憶装置（図示略）に事前に保持される。パスロスが大きいほど目標ＳＩＲが低いという概略的な傾向は複数の相関パターンＲにわたり共通するが、パスロスの各数値に対応する目標ＳＩＲの数値は相関パターンＲ毎に相違する。具体的には、パスロスの任意の１個の数値に対応する目標ＳＩＲの数値は、相関パターンＲMと比較して、相関パターンＲHのほうが大きく、かつ、相関パターンＲLのほうが小さい。なお、目標ＳＩＲがパスロスに対して直線的に変化する関係を図５では例示したが、パスロスと目標ＳＩＲとの関係は以上の例示に限定されない。例えば、目標ＳＩＲがパスロスに対して曲線的ないし非線形的に変化する関係も採用され得る。
【００２５】
目標ＳＩＲ決定部２８は、ステップＳA1で計算した干渉量ＩAが大きい（すなわち隣接セルＣBからセルＣAに対する干渉の度合が大きい）ほど目標ＳＩＲが低くなるように、複数の相関パターンＲの何れかを干渉量ＩAに応じて選択する（ＳA2）。具体的には、目標ＳＩＲ決定部２８は、図４に例示される通り、干渉量ＩAが所定の閾値ＴL1を下回るか否かを判定し（ＳA21）、干渉量ＩAが閾値ＴL1を下回る場合には、相関パターンＲMと比較して目標ＳＩＲが高い相関パターンＲHを選択する（ＳA22）。他方、干渉量ＩAが閾値ＴL1以上である場合（ＳA21：NO）、目標ＳＩＲ決定部２８は、干渉量ＩAが所定の閾値ＴH1を下回るか否かを判定する（ＳA23）。閾値ＴH1は、閾値ＴL1を上回る数値に設定される。干渉量ＩAが閾値ＴH1以上である場合（ＳA23：NO）、目標ＳＩＲ決定部２８は、相関パターンＲMと比較して目標ＳＩＲが低い相関パターンＲLを選択する（ＳA24）。他方、干渉量ＩAが閾値ＴL1と閾値ＴH1との間の数値である場合（ＴL1≦ＩA＜ＴH1，ＳA23：YES）、目標ＳＩＲ決定部２８は相関パターンＲMを選択する（ＳA25）。
【００２６】
目標ＳＩＲ決定部２８は、以上の手順で選択した相関パターンＲに準拠してセルＣA内の複数のユーザ装置１４の各々の目標ＳＩＲを決定する（ＳA3）。具体的には、目標ＳＩＲ決定部２８は、ステップＳA2で選択した相関パターンＲのもとで、パスロス計算部２６がユーザ装置１４について計算したパスロスに対応する数値を、当該ユーザ装置１４の目標ＳＩＲとして決定する。以上の説明から理解される通り、上りリンク信号ＳUのパスロスが大きいほど目標ＳＩＲが低くなるという概略的な傾向のもとで、無線基地局１２AのセルＣA内の上りリンク信号ＳUに対する隣接セルＣBからの干渉量ＩAが大きいほど目標ＳＩＲが低くなるように、無線基地局１２AのセルＣA内の各ユーザ装置１４について目標ＳＩＲが決定される。前述の通り、以上の手順で決定された目標ＳＩＲとユーザ装置１４からの上りリンク信号ＳUの受信ＳＩＲとの比較に応じた送信電力指令Ｔが電力指令送信部３０から当該ユーザ装置１４に送信されて送信電力制御に適用される。したがって、隣接セルＣBからの干渉の度合が大きい（セルＣA内の上りリンク信号ＳUが隣接セルＣB内の上りリンク信号ＳUに干渉する可能性が高い）ほど、無線基地局１２AのセルＣA内のユーザ装置１４における送信電力は抑制される。
【００２７】
以上に説明した通り、第１実施形態では、無線基地局１２AのセルＣA内に位置するユーザ装置１４からの上りリンク信号ＳUに対する干渉量が大きいほど目標ＳＩＲが低い数値となるように当該セルＣA内のユーザ装置１４の目標ＳＩＲが決定される。したがって、例えばパスロスのみに応じて目標ＳＩＲを決定する構成と比較すると、相異なるセルＣ内の複数のユーザ装置１４からの上りリンク信号ＳUの間で実際に発生する干渉の度合を反映した適切な目標ＳＩＲ（すなわち、複数のセルＣの間での上りリンク信号ＳUの干渉を有効に抑制し得る目標ＳＩＲ）を送信電力制御に利用できるという利点がある。
【００２８】
＜第２実施形態＞
本発明の第２実施形態を以下に説明する。以下に例示する各形態において作用や機能が第１実施形態と同様である要素については、第１実施形態の説明で使用した符号を流用して各々の詳細な説明を適宜に省略する。
【００２９】
第１実施形態では、無線基地局１２Aが形成するセルＣA内のユーザ装置１４の上りリンク信号ＳUに対する干渉量ＩAに応じて当該セルＣA内のユーザ装置１４の目標ＳＩＲを決定した。第２実施形態では、隣接セルＣB内に位置するユーザ装置１４の上りリンク信号ＳUに対する干渉量ＩBに応じて、無線基地局１２Aの目標ＳＩＲ決定部２８がセルＣA内の各ユーザ装置１４の目標ＳＩＲを決定する。
【００３０】
各無線基地局１２の目標ＳＩＲ決定部２８は、第１実施形態と同様の方法により、当該無線基地局１２が形成するセルＣ内のユーザ装置１４の上りリンク信号ＳUに対する干渉量を計算する。図６に例示される通り、無線基地局１２Aの基地局間通信部２０は、無線基地局１２Bが計算した干渉量ＩB（すなわち隣接セルＣB内のユーザ装置１４の上りリンク信号ＳUに対する干渉量）を無線基地局１２Bから受信する。そして、無線基地局１２Aの目標ＳＩＲ決定部２８は、基地局間通信部２０が受信した隣接セルＣB内の干渉量ＩBが大きいほど目標ＳＩＲが低くなるように、干渉量ＩBに応じてセルＣA内の各ユーザ装置１４の目標ＳＩＲを決定する。
【００３１】
第２実施形態における目標ＳＩＲの設定には、図４を参照して説明した第１実施形態と同様の方法が採用され得る。すなわち、無線基地局１２Aの目標ＳＩＲ決定部２８は、干渉量ＩBが大きいほど目標ＳＩＲが低くなるように複数の相関パターンＲ（ＲH，ＲM，ＲL）の何れかを干渉量ＩBに応じて選択し、当該相関パターンＲのもとでセルＣA内のユーザ装置１４からの上りリンク信号ＳUのパスロスに対応する数値を当該ユーザ装置１４の目標ＳＩＲとして決定する。以上の手順で決定された目標ＳＩＲとセルＣA内のユーザ装置１４からの上りリンク信号ＳUの受信ＳＩＲとの比較に応じた送信電力指令Ｔが当該ユーザ装置１４に送信される。
【００３２】
第２実施形態では、隣接セルＣB内に位置するユーザ装置１４の上りリンク信号ＳUに対する干渉量ＩBが大きいほど目標ＳＩＲが低い数値となるようにセルＣA内の各ユーザ装置１４の目標ＳＩＲが決定される。したがって、第１実施形態と同様に、相異なるセルＣ内の複数のユーザ装置１４からの上りリンク信号ＳUの間で実際に発生する干渉の度合を反映した適切な目標ＳＩＲを送信電力制御に利用できるという利点がある。
【００３３】
なお、第２実施形態では、無線基地局１２AのセルＣAに隣接する１個の隣接セルＣBに便宜的に着目したが、実際には１個のセルＣAの周囲に複数の隣接セルＣBが存在し得る。複数の隣接セルＣBを想定した場合、隣接セルＣBの複数の無線基地局１２Bで計算された干渉量の代表値を干渉量ＩBとして無線基地局１２Aが目標ＳＩＲを決定することも可能である。例えば、相異なる隣接セルＣBに対応する複数の干渉量の平均値や中央値を干渉量ＩBとして計算したうえで無線基地局１２Aでの目標ＳＩＲの決定に利用する構成や、相異なる隣接セルＣBに対応する複数の干渉量の最大値または最小値を干渉量ＩBとして無線基地局１２Aでの目標ＳＩＲの決定に利用する構成が採用され得る。
【００３４】
＜第３実施形態＞
無線基地局１２Aが形成するセルＣA内で当該無線基地局１２Aと通信中のユーザ装置１４の総数ＮAが多いほど、隣接セルＣB内のユーザ装置１４の上りリンク信号ＳUに対するセルＣAからの干渉量が大きいという傾向が想定される。以上の傾向を考慮して、第３実施形態における無線基地局１２Aの目標ＳＩＲ決定部２８は、当該無線基地局１２AのセルＣA内に位置する通信中のユーザ装置１４の総数ＮAに応じてセルＣA内の各ユーザ装置１４の目標ＳＩＲを決定する。具体的には、セルＣA内の通信中のユーザ装置１４の総数ＮAが多いほど目標ＳＩＲは低い数値に設定される。
【００３５】
図７は、無線基地局１２Aの目標ＳＩＲ決定部２８がセルＣA内の各ユーザ装置１４の目標ＳＩＲを決定する処理のフローチャートである。所定の時間毎に図７の処理を開始すると、無線基地局１２Aの目標ＳＩＲ決定部２８は、無線基地局１２Aが形成するセルＣA内で当該無線基地局１２Aと通信中のユーザ装置１４の総数ＮAを計数する（ＳB1）。
【００３６】
目標ＳＩＲ決定部２８は、総数ＮAに応じて、第１実施形態と同様に複数の相関パターンＲの何れかを選択する（ＳB2）。具体的には、第３実施形態の目標ＳＩＲ決定部２８は、総数ＮAが閾値ＴL2を下回る場合（ＳB21：YES）には相関パターンＲHを選択し（ＳB22）、総数ＮAが閾値ＴH2（ＴH2＞ＴL2）以上である場合（ＳB23：NO）には相関パターンＲLを選択し（ＳB24）、総数ＮAが閾値ＴL2と閾値ＴH2との間にある場合（ＳB23：YES）には相関パターンＲMを選択する（ＳB25）。そして、目標ＳＩＲ決定部２８は、ステップＳB2で選択した相関パターンＲに準拠してセルＣA内のユーザ装置１４の目標ＳＩＲを決定する（ＳB3）。すなわち、上りリンク信号ＳUのパスロスが大きいほど目標ＳＩＲが低くなるという傾向のもとで、無線基地局１２Aと通信中のユーザ装置１４の総数ＮAが多いほど目標ＳＩＲが低くなるように、無線基地局１２AのセルＣA内の各ユーザ装置１４について目標ＳＩＲが決定される。目標ＳＩＲと受信ＳＩＲとの比較に応じた送信電力指令Ｔの送信は第１実施形態と同様である。
【００３７】
第３実施形態では、無線基地局１２AのセルＣA内で通信中のユーザ装置１４の総数ＮAが多いほど目標ＳＩＲが低い数値となるように当該セルＣA内のユーザ装置１４の目標ＳＩＲが決定される。したがって、例えばパスロスのみに応じて目標ＳＩＲを決定する構成と比較すると、第１実施形態と同様に、相異なるセルＣ内の複数のユーザ装置１４からの上りリンク信号ＳUの間で実際に発生する干渉の度合を反映した適切な目標ＳＩＲを送信電力制御に利用できるという利点がある。
【００３８】
なお、以上の例示では、無線基地局１２AのセルＣA内で通信中のユーザ装置１４の総数ＮAに応じてセルＣA内のユーザ装置１４の目標ＳＩＲを決定したが、隣接セルＣB内で通信中のユーザ装置１４の総数ＮBに応じてセルＣA内のユーザ装置１４の目標ＳＩＲを決定することも可能である。具体的には、隣接セルＣB内で無線基地局１２Bと通信中のユーザ装置１４の総数ＮBを無線基地局１２Aの基地局間通信部２０が無線基地局１２Bから受信すると、無線基地局１２Aの目標ＳＩＲ決定部２８は、当該総数ＮBが多いほど目標ＳＩＲが低い数値となるようにセルＣA内のユーザ装置１４の目標ＳＩＲを決定する。複数の複数の隣接セルＣBにわたる総数ＮBの代表値（例えば平均値や最大値）を、無線基地局１２Aの目標ＳＩＲ決定部２８がセルＣA内の目標ＳＩＲの決定に適用することも可能である。また、セルＣA内の通信中のユーザ装置１４の総数ＮAと隣接セルＣB内の通信中のユーザ装置１４の総数ＮBとの双方に応じて、無線基地局１２Aの目標ＳＩＲ決定部２８がセルＣA内のユーザ装置１４の目標ＳＩＲを決定してもよい。例えば、総数ＮAおよび総数ＮBのうち多い方に応じて目標ＳＩＲを決定する構成や、総数ＮAと総数ＮBとの加重和に応じて目標ＳＩＲを決定する構成が採用され得る。
【００３９】
＜第４実施形態＞
ＬＴＥに準拠した無線通信システム１０では、ユーザ装置１４から送信される受信品質測定報告（measurement report）を契機としてハンドオーバが実行される。具体的には、無線基地局１２Aと通信中のユーザ装置１４が隣接セルＣBの無線基地局１２Bから受信する下りリンク信号の受信強度が無線基地局１２Aからの下りリンク信号の受信強度を上回る場合に、当該ユーザ装置１４から無線基地局１２Aに受信品質測定報告が送信される（EventA3）。すなわち、受信品質測定報告を無線基地局１２Aに送信したユーザ装置１４は、当該無線基地局１２AのセルＣAの周縁の近傍に位置すると推定される。したがって、１個のセルＣA内で受信品質測定報告を送信したユーザ装置１４の総数ＭAが多いほど、隣接セルＣB内のユーザ装置１４の上りリンク信号ＳUに対するセルＣAからの干渉量が大きいという傾向が想定される。
【００４０】
以上の傾向を考慮して、第４実施形態の無線基地局１２Aの目標ＳＩＲ決定部２８は、当該無線基地局１２AのセルＣA内に位置するとともに受信品質測定報告を送信したユーザ装置１４の総数ＭAに応じて当該セルＣA内の各ユーザ装置１４の目標ＳＩＲを決定する。すなわち、一定期間内に受信品質測定報告を送信したセルＣA内のユーザ装置１４の総数ＭAが多いほど目標ＳＩＲは低い数値に設定される。
【００４１】
具体的には、目標ＳＩＲ決定部２８は、複数の相関パターンＲ（ＲH，ＲM，ＲL）のうち受信品質測定報告を送信したユーザ装置１４の総数ＭAに応じた１個の相関パターンＲを利用して、セルＣA内のユーザ装置１４からの上りリンク信号ＳUのパスロスに対応した目標ＳＩＲを決定する。したがって、上りリンク信号ＳUのパスロスが大きいほど目標ＳＩＲが低くなるという傾向のもとで、一定期間内に受信品質測定報告を送信したセルＣA内のユーザ装置１４の総数ＭAが多いほど目標ＳＩＲが低くなるように、無線基地局１２AのセルＣA内の各ユーザ装置１４について目標ＳＩＲが決定される。
【００４２】
第４実施形態では、受信品質測定報告を送信したセルＣA内のユーザ装置１４の総数ＭAが多いほど目標ＳＩＲが低い数値となるように当該セルＣA内のユーザ装置１４の目標ＳＩＲが決定される。したがって、例えばパスロスのみに応じて目標ＳＩＲを決定する構成と比較すると、第１実施形態と同様に、相異なるセルＣ内の複数のユーザ装置１４からの上りリンク信号ＳUの間で実際に発生する干渉の度合を反映した適切な目標ＳＩＲを送信電力制御に利用できるという利点がある。
【００４３】
なお、以上の例示では、無線基地局１２AのセルＣA内で受信品質測定報告を送信したユーザ装置１４の総数ＭAに応じてセルＣA内のユーザ装置１４の目標ＳＩＲを決定したが、受信品質測定報告を一定期間内に無線基地局１２Bに送信した隣接セルＣB内のユーザ装置１４の総数ＭBに応じてセルＣA内のユーザ装置１４の目標ＳＩＲを決定することも可能である。具体的には、無線基地局１２Bで計数された総数ＭBを無線基地局１２Aの基地局間通信部２０が無線基地局１２Bから受信すると、無線基地局１２Aの目標ＳＩＲ決定部２８は、当該総数ＭBが多いほど目標ＳＩＲが低い数値となるようにセルＣA内のユーザ装置１４の目標ＳＩＲを決定する。複数の隣接セルＣBにわたる総数ＭBの代表値（例えば平均値や最大値）を、無線基地局１２Aの目標ＳＩＲ計算部２８がセルＣA内の目標ＳＩＲの決定に適用することも可能である。また、受信品質測定報告を送信したセルＣA内のユーザ装置１４の総数ＭAと隣接セルＣB内のユーザ装置１４の総数ＭBとの双方に応じて、無線基地局１２Aの目標ＳＩＲ決定部２８がセルＣA内のユーザ装置１４の目標ＳＩＲを決定してもよい。例えば、総数ＭAおよび総数ＭBのうち多い方に応じて目標ＳＩＲを決定する構成や、総数ＭAと総数ＭBとの加重和に応じて目標ＳＩＲを決定する構成が採用され得る。
【００４４】
＜第５実施形態＞
図８には、無線基地局１２AのセルＣA内の複数のユーザ装置１４が送信する上りリンク信号ＳUのパスロスの度数分布が例示されている。１個のセルＣ内の周縁にユーザ装置１４が近付くほどパスロスが増加するという前述の傾向を前提とすると、図８に実線で図示されるようにパスロスの度数分布が高値側（パスロスの数値が大きい正側）に偏る場合には、１個のセルＣAの周縁の近傍に多数のユーザ装置１４が位置し、結果的に隣接セルＣB内のユーザ装置１４からの上りリンク信号ＳUに干渉を発生させ易いという傾向が想定される。他方、図８に破線で図示されるようにパスロスの度数分布が低値側（パスロスの数値が小さい負側）に偏る場合には、セルＣAのうち無線基地局１２Aの近傍に多数のユーザ装置１４が位置し、結果的に隣接セルＣB内への影響は小さいという傾向が想定される。以上の傾向を考慮して、第５実施形態の無線基地局１２Aの目標ＳＩＲ決定部２８は、セルＣA内の複数のユーザ装置１４からの上りリンク信号ＳUのパスロスの度数分布に応じてセルＣA内の各ユーザ装置１４の目標ＳＩＲを決定する。
【００４５】
図９は、第５実施形態において無線基地局１２Aの目標ＳＩＲ決定部２８が目標ＳＩＲを決定する処理のフローチャートである。所定の時間毎に図９の処理を開始すると、無線基地局１２Aの目標ＳＩＲ決定部２８は、セルＣA内の複数のユーザ装置１４についてパスロス計算部２６が計算したパスロスの平均値（以下「平均パスロス」という）ＰAを計算する（ＳC1）。平均パスロスＰAは、パスロスの度数分布の傾向を評価するための指標である。具体的には、平均パスロスＰAが大きいほどパスロスの度数分布が高値側に偏る（１個のセルＣAの周縁の近傍に多数のユーザ装置１４が偏在する）と推定される。
【００４６】
目標ＳＩＲ決定部２８は、平均パスロスＰAに応じて、第１実施形態と同様に複数の相関パターンＲのうち１個の相関パターンＲを選択する（ＳC2）。具体的には、目標ＳＩＲ決定部２８は、平均パスロスＰAが所定の閾値ＴL3を下回るか否かを判定する（ＳC21）。平均パスロスＰAが閾値ＴL3を下回る場合には、セルＣA内の複数のユーザ装置１４が無線基地局１２Aの近傍に偏在する状況（すなわち隣接セルＣBに対する影響が小さい状況）であると推定される。したがって、平均パスロスＰAが閾値ＴL3を下回る場合（ＳC21：YES）、目標ＳＩＲ決定部２８は、相関パターンＲMと比較して目標ＳＩＲが高い相関パターンＲHを選択する（ＳC22）。
【００４７】
他方、平均パスロスＰAが閾値ＴL3以上である場合（ＳC21：NO）、目標ＳＩＲ決定部２８は、平均パスロスＰAが閾値ＴH3を下回るか否かを判定する（ＳC23）。閾値ＴH3は、閾値ＴL3を上回る数値に設定される。平均パスロスＰAが閾値ＴH3を上回る場合には、セルＣA内の複数のユーザ装置１４が当該セルＣAの周縁の近傍に偏在する状況（すなわち隣接セルＣBに対する影響が大きい状況）であると推定される。したがって、平均パスロスＰAが閾値ＴH3以上である場合（ＳC23：NO）、目標ＳＩＲ決定部２８は、相関パターンＲMと比較して目標ＳＩＲが低い相関パターンＲLを選択する（ＳC24）。他方、平均パスロスＰAが閾値ＴL3と閾値ＴH3との間の数値である場合（ＴL3≦ＰA＜ＴH3，ＳC23：YES）、目標ＳＩＲ決定部２８は相関パターンＲMを選択する（ＳC25）。
【００４８】
目標ＳＩＲ決定部２８は、ステップＳC2で選択した相関パターンＲに準拠してセルＣA内のユーザ装置１４の目標ＳＩＲを決定する（ＳC3）。したがって、上りリンク信号ＳUのパスロスが大きいほど目標ＳＩＲが低くなるという傾向のもとで、平均パスロスＰAが大きい（すなわちパスロスの度数分布が高値側に偏る）ほど目標ＳＩＲが低くなるように、無線基地局１２AのセルＣA内の各ユーザ装置１４について目標ＳＩＲが決定される。目標ＳＩＲと受信ＳＩＲとの比較に応じた送信電力指令Ｔの送信は第１実施形態と同様である。
【００４９】
第５実施形態では、無線基地局１２AのセルＣA内の複数のユーザ装置１４における上りリンク信号ＳUのパスロスが高値側に偏るほど目標ＳＩＲが低い数値となるように当該セルＣA内のユーザ装置１４の目標ＳＩＲが決定される。したがって、例えばパスロスのみに応じて目標ＳＩＲを決定する構成と比較すると、第１実施形態と同様に、相異なるセルＣ内の複数のユーザ装置１４からの上りリンク信号ＳUの間で実際に発生する干渉の度合を反映した適切な目標ＳＩＲを送信電力制御に利用できるという利点がある。
【００５０】
なお、パスロスの度数分布の傾向を評価するための指標（以下「分布指標」という）は、以上に例示した平均パスロスＰAに限定されない。例えば、無線基地局１２AのセルＣA内に位置する複数のユーザ装置１４のうち上りリンク信号ＳUのパスロスが所定の閾値を上回るユーザ装置１４の割合（以下「高パスロス比率」という）を分布指標として目標ＳＩＲを決定することも可能である。すなわち、高パスロス比率が高い場合（すなわちパスロスの度数分布が高値側に偏る場合）には、１個のセルＣAの周縁の近傍に多数のユーザ装置１４が位置し、結果的に隣接セルＣB内のユーザ装置１４からの上りリンク信号ＳUに干渉が発生し易い状況であると推定される。他方、高パスロス比率が低い場合には、セルＣAのうち無線基地局１２Aの近傍に多数のユーザ装置１４が位置し、結果的に隣接セルＣB内への影響は小さい状況であると推定される。したがって、高パスロス比率が高いほど目標ＳＩＲが低くなるように、目標ＳＩＲ決定部２８がセルＣA内のユーザ装置１４の目標ＳＩＲを決定する構成が好適である。同様に、セルＣA内の複数のユーザ装置１４のうち上りリンク信号ＳUのパスロスが所定の閾値を下回るユーザ装置１４の割合（以下「低パスロス比率」という）を分布指標として目標ＳＩＲを決定することも可能である。具体的には、低パスロス比率が高い（隣接セルＣBに対するセルＣAからの影響が小さい）ほど目標ＳＩＲは高い数値に設定される。
【００５１】
また、以上の例示では、無線基地局１２AのセルＣAの分布指標（平均パスロス，高パスロス比率，低パスロス比率）に応じて当該セルＣA内のユーザ装置１４の目標ＳＩＲを決定したが、隣接セルＣBの分布指標に応じてセルＣA内のユーザ装置１４の目標ＳＩＲを決定することも可能である。具体的には、無線基地局１２Bで計算された分布指標を無線基地局１２Aの基地局間通信部２０が無線基地局１２Bから受信し、無線基地局１２Aの目標ＳＩＲ決定部２８は、当該分布指標に応じてセルＣA内のユーザ装置１４の目標ＳＩＲを決定する。セルＣAの分布指標と隣接セルＣBの分布指標との双方（例えば加重和）に応じて当該セルＣA内のユーザ装置１４の目標ＳＩＲを決定することも可能である。
【００５２】
＜第６実施形態＞
無線基地局１２Aが形成するセルＣAの周縁の近傍に位置するユーザ装置１４では頻繁にハンドオーバが発生する。したがって、任意の１個のセルＣAに関する一定期間内のハンドオーバの回数（すなわち頻度）Ｈが多いほど、隣接セルＣB内のユーザ装置１４の上りリンク信号ＳUに対するセルＣAからの干渉量が大きいという傾向が想定される。以上の傾向を考慮して、第６実施形態の無線基地局１２Aの目標ＳＩＲ決定部２８は、当該無線基地局１２AのセルＣAと隣接セルＣBとの間における一定期間内のハンドオーバの回数Ｈに応じてセルＣA内の各ユーザ装置１４の目標ＳＩＲを決定する。具体的には、セルＣAに関する一定期間内のハンドオーバの回数Ｈが多いほど目標ＳＩＲは低い数値に設定される。
【００５３】
図１０は、第６実施形態において無線基地局１２Aの目標ＳＩＲ決定部２８が目標ＳＩＲを決定する処理のフローチャートである。所定の時間毎に図１０の処理を開始すると、無線基地局１２Aの目標ＳＩＲ決定部２８は、当該無線基地局１２Aが形成するセルＣAについて一定期間内（例えば前回の処理から今回の処理までの期間内）に発生したハンドオーバの回数Ｈを計数する（ＳD1）。具体的には、一定期間内における無線基地局１２AのセルＣAから隣接セルＣBに対するハンドオーバの回数と、一定期間内における隣接セルＣBからセルＣAに対するハンドオーバの回数との合計値が、セルＣAに関するハンドオーバの回数Ｈとして計算される。なお、一定期間内におけるセルＣAおよび隣接セルＣBの一方から他方に対するハンドオーバの回数を、セルＣAに関するハンドオーバの回数Ｈとして利用することも可能である。
【００５４】
目標ＳＩＲ決定部２８は、ハンドオーバの回数Ｈに応じて、第１実施形態と同様に複数の相関パターンＲのうち１個の相関パターンＲを選択する（ＳD2）。具体的には、第６実施形態の目標ＳＩＲ決定部２８は、回数Ｈが閾値ＴL4を下回る場合（ＳD21：YES）には相関パターンＲHを選択し（ＳD22）、回数Ｈが閾値ＴH4（ＴH4＞ＴL4）を上回る場合（ＳD23：NO）には相関パターンＲLを選択し（ＳD24）、回数Ｈが閾値ＴL4と閾値ＴH4との間にある場合（ＳD23：YES）には相関パターンＲMを選択する（ＳD25）。そして、目標ＳＩＲ決定部２８は、ステップＳD2で選択した相関パターンＲに準拠してセルＣA内のユーザ装置１４の目標ＳＩＲを決定する（ＳD3）。したがって、上りリンク信号ＳUのパスロスが大きいほど目標ＳＩＲが低くなるという傾向のもとで、無線基地局１２AのセルＣAに関するハンドオーバの回数Ｈが多いほど目標ＳＩＲが低くなるように、無線基地局１２AのセルＣA内の各ユーザ装置１４について目標ＳＩＲが決定される。目標ＳＩＲと受信ＳＩＲとの比較に応じた送信電力指令Ｔの送信は第１実施形態と同様である。
【００５５】
第６実施形態では、無線基地局１２AのセルＣAに関するハンドオーバの回数Ｈが多いほど目標ＳＩＲが低い数値となるように当該セルＣA内のユーザ装置１４の目標ＳＩＲが決定される。したがって、例えばパスロスのみに応じて目標ＳＩＲを決定する構成と比較すると、第１実施形態と同様に、相異なるセルＣ内の複数のユーザ装置１４からの上りリンク信号ＳUの間で実際に発生する干渉の度合を反映した適切な目標ＳＩＲを送信電力制御に利用できるという利点がある。
【００５６】
＜第７実施形態＞
第６実施形態について前述した通り、無線基地局１２AのセルＣAに関する一定期間内のハンドオーバの回数Ｈが多いほど、隣接セルＣB内のユーザ装置１４の上りリンク信号ＳUに対する当該セルＣAからの干渉量が大きいという傾向が想定される。したがって、任意の１個のセルＣAの周囲に位置する複数の隣接セルＣBのうち、一定期間内のハンドオーバの回数が閾値を上回る隣接セルＣBの個数Ｋが多いほど、当該セルＣAから各隣接セルＣBに対する干渉量が大きいと推定される。
【００５７】
以上の傾向を考慮して、第７実施形態の無線基地局１２Aの目標ＳＩＲ決定部２８は、一定期間内のハンドオーバの回数が閾値を上回る隣接セルＣBの個数Ｋに応じてセルＣA内の各ユーザ装置１４の目標ＳＩＲを決定する。すなわち、ハンドオーバの回数が閾値を上回る隣接セルＣBの個数Ｋが多いほど目標ＳＩＲは低い数値に設定される。
【００５８】
具体的には、目標ＳＩＲ決定部２８は、複数の相関パターンＲ（ＲH，ＲM，ＲL）のうちハンドオーバが頻発する隣接セルＣBの個数Ｋに応じた１個の相関パターンＲを利用して、セルＣA内のユーザ装置１４からの上りリンク信号ＳUのパスロスに応じた目標ＳＩＲを決定する。したがって、上りリンク信号ＳUのパスロスが大きいほど目標ＳＩＲが低くなるという傾向のもとで、ハンドオーバの回数が閾値を上回る隣接セルＣBの個数Ｋが多いほど目標ＳＩＲが低くなるように、無線基地局１２AのセルＣA内の各ユーザ装置１４について目標ＳＩＲが決定される。
【００５９】
第７実施形態では、ハンドオーバの回数が閾値を上回る隣接セルＣBの個数Ｋが多いほど目標ＳＩＲが低い数値となるようにセルＣA内のユーザ装置１４の目標ＳＩＲが決定される。したがって、例えばパスロスのみに応じて目標ＳＩＲを決定する構成と比較すると、第１実施形態と同様に、相異なるセルＣ内の複数のユーザ装置１４からの上りリンク信号ＳUの間で実際に発生する干渉の度合を反映した適切な目標ＳＩＲを送信電力制御に利用できるという利点がある。
【００６０】
以上の説明から理解される通り、第１実施形態から第７実施形態における無線基地局１２Aの目標ＳＩＲ決定部２８は、当該無線基地局１２AのセルＣA内に位置する少なくとも１個のユーザ装置１４からの上りリンク信号ＳUに対する干渉、または、隣接セルＣB内に位置する少なくとも１個のユーザ装置１４からの上りリンク信号ＳUに対する干渉に応じた指標（以下「評価指標」という）Ｚに基づいて目標ＳＩＲを決定する要素として包括的に表現される。評価指標Ｚは、第１実施形態における干渉量ＩA、第２実施形態における干渉量ＩB、第３実施形態におけるユーザ装置１４の総数Ｎ（ＮA，ＮB）、第４実施形態におけるユーザ装置１４の総数Ｍ（ＭA，ＭB）、第５実施形態における分布指標（例えば平均パスロスＰA，高パスロス比率，低パスロス比率）、第６実施形態におけるハンドオーバの回数Ｈ、第７実施形態における隣接セルＣBの個数Ｋの何れかであり得る。
【００６１】
＜第８実施形態＞
図１１は、第８実施形態における任意の１個の無線基地局１２Aの構成図である。図１１に例示される通り、第８実施形態の無線基地局１２Aは、第１実施形態から第７実施形態と同様の要素（基地局間通信部２０，無線受信部２２，受信ＳＩＲ計算部２４，パスロス計算部２６，目標ＳＩＲ決定部２８，電力指令送信部３０）に加えて変化度計算部３２を具備する。
【００６２】
変化度計算部３２は、無線基地局１２Aが形成するセルＣA内のユーザ装置１４の目標ＳＩＲを当該無線基地局１２Aの目標ＳＩＲ決定部２８が変更する前後にわたる当該セルＣA内の通信状況の変化度ＶAを計算する。通信状況は、例えば、第１実施形態から第７実施形態において目標ＳＩＲの決定に利用した評価指標Ｚで表現される。
【００６３】
例えば、図１２に例示される通り、時間軸上の任意の時点ｔ1でセルＣA内の各ユーザ装置１４に対して決定された目標ＳＩＲを、目標ＳＩＲ決定部２８が時点ｔ1の後方の時点ｔ2で別個の数値に変更する場合を想定する。変化度計算部３２は、時点ｔ1でのセルＣAの評価指標Ｚの数値ｚ1と時点ｔ2でのセルＣAの評価指標Ｚの数値ｚ2との差分値に応じて変化度ＶAを計算する。例えば、評価指標Ｚの数値ｚ1と数値ｚ2との差分値の絶対値を目標ＳＩＲの変化量で除算した数値（すなわち、目標ＳＩＲを単位量だけ変化させた場合の評価指標Ｚの変化量）が変化度ＶAとして計算される。以上の説明から理解される通り、変化度ＶAは、セルＣAに関する目標ＳＩＲの変更に連動した当該セルＣA内の通信状況の変化の度合である。
【００６４】
変化度ＶAが大きい場合（目標ＳＩＲの変更に連動して通信状況が顕著に変化した場合）には、無線基地局１２AのセルＣA内のユーザ装置１４からの上りリンク信号ＳUが隣接セルＣB内のユーザ装置１４の上りリンク信号ＳUの干渉に影響する度合が大きいと推定される。したがって、無線基地局１２Aの変化度計算部３２が計算する変化度ＶAは、セルＣA内のユーザ装置１４からの上りリンク信号ＳUが隣接セルＣB内の上りリンク信号ＳUに影響する度合の指標（すなわち、隣接セルＣBに対するセルＣAの影響度）とも換言され得る。
【００６５】
第８実施形態における無線基地局１２Aの目標ＳＩＲ決定部２８は、第１実施形態から第７実施形態と同様に評価指標Ｚと上りリンク信号ＳUのパスロスとに応じてセルＣA内のユーザ装置１４の目標ＳＩＲを決定するほか、変化度計算部３２が計算した変化度ＶAを目標ＳＩＲの決定に反映させる。図１３は、無線基地局１２Aの目標ＳＩＲ決定部２８が目標ＳＩＲを決定する動作のフローチャートである。例えば所定の時間毎に図１３の処理が実行される。
【００６６】
図１３に例示される通り、目標ＳＩＲ決定部２８は、変化度計算部３２が計算した変化度ＶAが所定の閾値Ｑ1を下回るか否かを判定し（ＳE1）、変化度ＶAが閾値Ｑ1を下回る場合（ＳE1：YES）には、変化度ＶAが所定の閾値Ｑ2を下回るか否かを判定する（ＳE2）。閾値Ｑ2は閾値Ｑ1を下回る所定値に設定される。変化度ＶAが閾値Ｑ1と閾値Ｑ2との間の数値である場合（Ｑ2≦Ｖ＜Ｑ1，ＳE2：NO）、目標ＳＩＲ決定部２８は、評価指標Ｚとパスロス計算部２６が計算したパスロスとに応じて前述の各形態と同様の方法でセルＣA内の各ユーザ装置１４の目標ＳＩＲを決定する（ＳE3）。
【００６７】
変化度ＶAが閾値Ｑ1以上である場合（ＳE1：NO）には、隣接セルＣB内の上りリンク信号ＳUに対するセルＣA内の上りリンク信号ＳUの影響度が相対的に大きいと推定される。したがって、目標ＳＩＲ決定部２８は、変化度ＶAが閾値Ｑ1と閾値Ｑ2との間の数値である場合（ＳE3）と比較して目標ＳＩＲの上昇が抑制されるように、評価指標Ｚとパスロスとに応じた目標ＳＩＲを決定する（ＳE4）。具体的には、目標ＳＩＲ決定部２８は、目標ＳＩＲを現在の数値に対して維持または低下させる制御、または、ステップＳE3での変化量を下回る変化量だけ目標ＳＩＲを上昇させる制御を実行する。
【００６８】
他方、変化度ＶAが閾値Ｑ2を下回る場合（ＳE2：YES）には、隣接セルＣB内の上りリンク信号ＳUに対するセルＣA内の上りリンク信号ＳUの影響度が相対的に小さいと推定される。したがって、目標ＳＩＲ決定部２８は、変化度ＶAが閾値Ｑ1と閾値Ｑ2との間の数値である場合（ＳE3）と比較して目標ＳＩＲの上昇が促進されるように、評価指標Ｚとパスロスとに応じた目標ＳＩＲを決定する（ＳE5）。具体的には、目標ＳＩＲ決定部２８は、ステップＳE3での変化量を上回る変化量だけ目標ＳＩＲを上昇させる。
【００６９】
以上に例示した通り、第８実施形態では、無線基地局１２AのセルＣAに関する目標ＳＩＲの過去の変更の前後にわたる当該セルＣA内の通信状況の変化度ＶAに応じてセルＣA内のユーザ装置１４の目標ＳＩＲが決定される。したがって、隣接セルＣB内の上りリンク信号ＳUに対するセルＣA内の上りリンク信号ＳUの実際の影響度を反映した適切な目標ＳＩＲを送信電力制御に利用できるという利点がある。
【００７０】
＜第９実施形態＞
第８実施形態では、無線基地局１２AのセルＣA内のユーザ装置１４の目標ＳＩＲが変更される前後にわたる当該セルＣAの通信状況の変化度ＶAに応じて当該セルＣA内のユーザ装置１４の目標ＳＩＲを決定した。第９実施形態では、無線基地局１２AのセルＣA内のユーザ装置１４の目標ＳＩＲが変更される前後にわたる隣接セルＣBの通信状況の変化度ＶBに応じて当該セルＣA内のユーザ装置１４の目標ＳＩＲが決定される。すなわち、変化度ＶBは、セルＣA内での目標ＳＩＲの変更に起因した隣接セルＣB内の通信状況の変化の度合の指標（隣接セルＣBに対するセルＣAの影響度）に相当する。
【００７１】
図１４は、第９実施形態における無線基地局１２Aおよび無線基地局１２Bの動作の説明図である。無線基地局１２Aの目標ＳＩＲ決定部２８が目標ＳＩＲを変更すると、基地局間通信部２０は、当該無線基地局１２Aが形成するセルＣA内のユーザ装置１４について目標ＳＩＲが変更されたことを意味する変更通知を無線基地局１２Bに送信する（ＳF1）。変更通知を受信すると、無線基地局１２Bの変化度計算部３２は、当該変更通知が示す目標ＳＩＲの変更の前後にわたる隣接セルＣB内の通信状況の変化度ＶBを計算する（ＳF2）。例えば、直前の変更通知の受信時における隣接セルＣBの評価指標Ｚの数値ｚ1と今回の変更通知の受信時における評価指標Ｚの数値ｚ2との差分値に応じて変化度ＶBが計算される。
【００７２】
無線基地局１２Bの目標ＳＩＲ決定部２８は、セルＣA内での目標ＳＩＲの変更に起因した隣接セルＣB内の通信状況の変化の度合（すなわち隣接セルＣBに対するセルＣAからの影響度）を変化度ＶBに応じて解析し（ＳF3）、基地局間通信部２０から無線基地局１２Aに解析結果を送信する（ＳF4）。解析結果は、例えば、変化度計算部３２が計算した変化度ＶBと前述の閾値Ｑ1および閾値Ｑ2との比較結果（ステップＳE1およびステップＳE2の判定結果）を包含する。
【００７３】
無線基地局１２Aの目標ＳＩＲ決定部２８は、無線基地局１２Bから受信した解析結果に応じて、第８実施形態と同様にセルＣA内のユーザ装置１４の目標ＳＩＲを決定する（ＳF5）。具体的には、変化度ＶBが閾値Ｑ1と閾値Ｑ2との間の数値であるという解析結果が通知された場合、無線基地局１２Aの目標ＳＩＲ決定部２８は、評価指標Ｚとパスロス計算部２６が計算したパスロスとに応じてセルＣA内の各ユーザ装置１４の目標ＳＩＲを決定する（ＳE3）。他方、目標ＳＩＲ決定部２８は、変化度ＶBが閾値Ｑ1以上であるという解析結果が通知された場合には目標ＳＩＲの上昇が抑制され（ＳE4）、変化度ＶBが閾値Ｑ1を下回るという解析結果が通知された場合には目標ＳＩＲの上昇が促進される（ＳE5）ように、評価指標Ｚとパスロスとに応じた目標ＳＩＲを決定する。
【００７４】
なお、以上の例示では、変化度ＶBと閾値Ｑ1および閾値Ｑ2とを無線基地局１２Bにて比較して無線基地局１２Aに解析結果を通知する構成を例示したが、隣接セルＣBの通信状況の変化度ＶBを無線基地局１２Bから無線基地局１２Aに通知し、無線基地局１２Aの目標ＳＩＲ決定部２８が変化度ＶBと閾値Ｑ1および閾値Ｑ2との比較（すなわち図１３と同様の処理）を実行することも可能である。
【００７５】
以上に例示した通り、第９実施形態では、無線基地局１２AのセルＣAに関する目標ＳＩＲの過去の変更の前後にわたる隣接セルＣB内の通信状況の変化度ＶBに応じてセルＣA内のユーザ装置１４の目標ＳＩＲが決定される。したがって、第８実施形態と同様に、隣接セルＣB内の上りリンク信号ＳUに対するセルＣA内の上りリンク信号ＳUの実際の影響度を反映した適切な目標ＳＩＲを送信電力制御に利用できるという利点がある。以上の説明から理解される通り、第８実施形態および第９実施形態の無線基地局１２Aの目標ＳＩＲ決定部２８は、過去の目標ＳＩＲの変更の前後にわたる通信状況の変化度（当該セルＣAの通信状況の変化度ＶAまたは隣接セルＣBの通信状況の変化度ＶB）に応じて前記目標ＳＩＲを決定する要素として包括的に表現される。
【００７６】
＜変形例＞
前述の各形態は多様に変形され得る。具体的な変形の態様を以下に例示する。以下の例示から任意に選択された２以上の態様は、互いに矛盾しない範囲で適宜に併合され得る。
【００７７】
（１）第１実施形態から第７実施形態で例示した複数種の評価指標Ｚから適宜に選択された２以上の評価指標Ｚの組合せを目標ＳＩＲの決定に利用することも可能である。評価指標Ｚの組合せや種類数は任意であるが、例えば以下の構成が例示され得る。
【００７８】
（１A）第２実施形態で例示した隣接セルＣBの干渉量ＩBと第５実施形態で例示した分布指標（例えば高パスロス比率）とに応じて、無線基地局１２Aの目標ＳＩＲ決定部２８がセルＣA内のユーザ装置１４の目標ＳＩＲを決定する構成が採用され得る。具体的には、目標ＳＩＲ決定部２８は、隣接セルＣBの干渉量ＩBが所定の閾値を上回り、かつ、高パスロス比率が所定の閾値を上回る場合に、例えば相関パターンＲLを選択することでセルＣA内のユーザ装置１４の目標ＳＩＲを低下させる。したがって、隣接セルＣBの干渉量ＩBが閾値を上回る場合でも、高パスロス比率が閾値を下回る場合には目標ＳＩＲは低下しない。
【００７９】
（１B）第２実施形態で例示した隣接セルＣBの干渉量ＩBと第６実施形態で例示したハンドオーバの回数Ｈとに応じて、無線基地局１２Aの目標ＳＩＲ決定部２８がセルＣA内のユーザ装置１４の目標ＳＩＲを決定する構成が採用され得る。具体的には、目標ＳＩＲ決定部２８は、隣接セルＣBの干渉量ＩBが所定の閾値を上回り、かつ、ハンドオーバの回数Ｈが所定の閾値を上回る場合に、例えば相関パターンＲLを選択することでセルＣA内のユーザ装置１４の目標ＳＩＲを低下させる。したがって、隣接セルＣBの干渉量ＩBが閾値を上回る場合でも、ハンドオーバの回数Ｈが閾値を下回る場合には目標ＳＩＲは低下しない。
【００８０】
（１C）複数の評価指標Ｚの加重和に応じて目標ＳＩＲを決定することも可能である。例えば、以下の数式で表現される通り、第２実施形態で例示した隣接セルＣBの干渉量ＩBと、第３実施形態で例示したセルＣA内の通信中のユーザ装置１４の総数ＮAと、第６実施形態で例示したハンドオーバの回数Ｈとの加重和で算定される判定値Ｄに応じてセルＣA内のユーザ装置１４の目標ＳＩＲが決定される。
Ｄ＝ａ1・ＩB＋ａ2・ＮA＋ａ3・Ｈ
各加重値（ａ1，ａ2，ａ3）は所定の正数に設定される。目標ＳＩＲ決定部２８は、判定値Ｄが閾値ＤTH1を上回る場合には、例えば相関パターンＲLの選択によりセルＣA内の各ユーザ装置１４の目標ＳＩＲを低下させ、判定値Ｄが閾値ＤTH2（ＤTH2＜ＤTH1）を下回る場合には、例えば相関パターンＲHの選択によりセルＣA内の各ユーザ装置１４の目標ＳＩＲを上昇させる。
【００８１】
（２）前述の各形態では、任意の１個のセルＣA内に位置する複数のユーザ装置１４の全部について目標ＳＩＲを同様に決定したが、当該セルＣA内の複数のユーザ装置１４のうち所定の条件を充足する特定のユーザ装置１４のみを対象として、前述の各形態で例示した方法により目標ＳＩＲを決定することも可能である。例えば、通信頻度が高いユーザ装置１４のみを対象とした目標ＳＩＲの決定により、通信頻度が高いユーザ装置１４の目標ＳＩＲを高目に設定する（スループットを上昇させる）ことが可能である。また、受信品質測定報告を無線基地局１２Aに送信したユーザ装置１４（すなわちセルＣAの周縁の近傍に位置すると推定されるユーザ装置１４）のみを対象として前述の各形態で例示した方法により目標ＳＩＲを決定することも可能である。
【００８２】
（３）前述の各形態では、任意の１個の無線基地局１２Aが周囲の隣接セルＣBを事前に認識している場合を想定したが、無線基地局１２Aが自身の周囲の隣接セルＣBを自律的に特定することも可能である。例えば、自身が形成するセルＣAとの間でユーザ装置１４のハンドオーバが頻発するセルＣを無線基地局１２Aが隣接セルＣBとして特定する構成や、各ユーザ装置１４から送信される受信品質測定報告の内容や頻度に応じて無線基地局１２Aが隣接セルＣBを特定する構成が採用され得る。
【００８３】
（４）前述の各形態では、事前に用意された複数の相関パターンＲのうち評価指標Ｚに応じて選択した１個の相関パターンＲを利用して上りリンク信号ＳUのパスロスに応じた目標ＳＩＲを決定したが、評価指標Ｚおよびパスロスに応じた目標ＳＩＲを決定するための方法は以上の例示に限定されない。例えば、評価指標Ｚおよびパスロスを変数として目標ＳＩＲを定義した演算式を利用して、評価指標Ｚおよびパスロスに応じた目標ＳＩＲを算定することも可能である。もっとも、前述の各形態の例示のように複数の相関パターンＲを選択する構成によれば、評価指標Ｚおよびパスロスに応じた目標ＳＩＲを決定する処理の負荷が軽減されるという利点がある。
【００８４】
（５）第８実施形態および第９実施形態では、第１実施形態から第７実施形態で例示した評価指標Ｚを通信状況の指標として例示したが、通信状況の指標は評価指標Ｚに限定されない。例えば、セルＣA内で発生する再接続の頻度やセルＣA内の平均スループット等の指標で通信状況（具体的には通信状況の変化度Ｖ）を表現することも可能である。
【００８５】
（６）前述の各形態では、無線基地局１２が１個のセルＣを形成する構成を便宜的に例示したが、無線基地局１２が複数のセクタを形成する構成にも前述の各形態は適用され得る。各ユーザ装置１４からの上りリンク信号ＳUの周波数帯域は複数のセクタにわたり共通し、かつ、１個のセクタ内の複数のユーザ装置１４から送信される上りリンク信号ＳUの周波数は互いに直交する。１個の無線基地局１２が複数のセクタを形成する構成では、無線基地局１２が形成する１個のセクタが前述の各形態のセルＣAに相当し、当該無線基地局１２が形成する他のセクタ、または、周辺に位置する他の無線基地局１２が形成する１個のセクタが、隣接セルＣBに相当する。以上の説明から理解される通り、本発明における１個の「セル」は、前述の各形態のように１個の無線基地局１２が形成する１個のセルのほか、１個の無線基地局１２が形成する複数のセクタのうちの１個を包含する概念である。
【００８６】
（７）ユーザ装置１４は、各無線基地局１２と無線通信が可能な任意の装置である。例えばフィーチャーフォンまたはスマートフォン、デスクトップ型またはノート形のパーソナルコンピュータ、ＵＭＰＣ（Ultra-Mobile Personal Computer）、携帯型ゲーム装置等の任意の装置がユーザ装置１４として利用され得る。
【００８７】
（８）無線基地局１２においてＣＰＵが実行する各機能は、ＣＰＵの代わりに、ハードウェアでも実現され得る。また、例えばＦＰＧＡ（Field Programmable Gate Array）やＤＳＰ（Digital Signal Processor）等のプログラマブルロジックデバイスで無線基地局１２の各機能を実現することも可能である。
【符号の説明】
【００８８】
１０……無線通信システム、１２（１２A，１２B）……無線基地局、１４……ユーザ装置、２２……無線受信部、２４……受信ＳＩＲ計算部、２４２……信号電力測定部、２４４……干渉電力測定部、２４６……演算処理部、２６……パスロス計算部、２８……目標ＳＩＲ決定部、３０……電力指令送信部、Ｃ（ＣA，ＣB）……セル。
【図１】
2016144058.tif 000003
【図２】
2016144058.tif 000004
【図３】
2016144058.tif 000005
【図４】
2016144058.tif 000006
【図５】
2016144058.tif 000007
【図６】
2016144058.tif 000008
【図７】
2016144058.tif 000009
【図８】
2016144058.tif 000010
【図９】
2016144058.tif 000011
【図１０】
2016144058.tif 000012
【図１１】
2016144058.tif 000013
【図１２】
2016144058.tif 000014
【図１３】
2016144058.tif 000015
【図１４】
2016144058.tif 000016